(57)【要約】  本発明は、遠隔通信ネットワークでネットワークコントローラから移動通信装置に利用可能なモバイルテレビサービスに関連した情報を提供するための方法を提供する。上記ネットワークは、複数のモバイルテレビサービスを特定のグループに配列するステップと、単一メッセージで情報をネットワークコントローラから移動通信装置に伝送するステップとを有し、上記情報は特定のグループを確認する。
2009539302.tif 000002
【特許請求の範囲】
【請求項１】
遠隔通信ネットワークにおいてネットワークコントローラから移動通信装置に利用可能なモバイルテレビサービスに関連した情報を提供するための方法であって、
複数のモバイルテレビサービスを特定グループに配列するステップと、
単一メッセージで前記特定グループを識別する情報を前記ネットワークコントローラから移動通信装置に伝送するステップと、
を有することを特徴とする方法。
【請求項２】
前記特定グループを識別する前記情報は、前記特定グループに関連した前記サービスが前記移動通信装置に利用可能であることを前記移動通信装置に示すことを特徴とする請求項１に記載の方法。
【請求項３】
前記特定グループを識別する情報は、前記移動通信装置に伝送された前記単一メッセージ内の単一ビットであることを特徴とする請求項１に記載の方法。
【請求項４】
前記単一ビットは、ＭＢＭＳアクセス情報メッセージに伝送されることを特徴とする請求項３に記載の方法。
【請求項５】
前記単一ビットは、ＭＢＭＳサービス変更情報メッセージに伝送されることを特徴とする請求項３に記載の方法。
【請求項６】
前記方法は、ネットワークコントローラによって遂行されることを特徴とする請求項１に記載の方法。
【請求項７】
ネットワークコントローラによって制御される遠隔通信ネットワークの特定の伝送領域で特定のモバイルテレビ伝送を受信することが可能な複数の移動通信装置をカウントする方法であって、
前記ネットワークコントローラによって、前記移動通信装置の個数をカウンティングするステップと、
前記ネットワークコントローラによって、規則的な間隔で前記移動通信装置の個数を再カウンティングするステップと、
を有することを特徴とする方法。
【請求項８】
前記カウンティングされた移動通信装置の個数は、前記伝送がポイントツーポイント通信を通じて行われるか、それともポイントツーマルチポイント通信を通じて行われるかを判定することを特徴とする請求項７に記載の方法。
【請求項９】
前記移動通信装置は、特定のモバイルテレビチャンネルに関連した情報を提供することを特徴とする請求項７に記載の方法。
【発明の詳細な説明】
【技術分野】
【０００１】
本発明は、一般的に移動通信システムに関して、特に遠隔通信ネットワーク(telecommunications  network)においてネットワークコントローラから移動通信装置に利用可能なモバイルテレビサービスの情報を提供するための方法及び装置に関する。
【背景技術】
【０００２】
ＭＢＭＳ(Multimedia Broadcast Multicast Service）は、一つ又はそれ以上のデータソースを複数のＵＥ(User Equipment)に提供するサービスである。このようなサービスは、ＶＯＤ(Video On Demand)サービス、ミュージックビデオサービス、ＴＶ(television)放送サービスなどを含むことができる。ここで使用されるＵＥは、移動通信装置、ＰＤＡ(Personal Digital Assistant)、移動電話(mobile  telephone)、ＭＰ３(Moving Pictures Expert Group Layer 3)プレーヤー、ポケベル(pager)、ラップトップコンピュータ(laptop computer)、又は他の類似の移動コンピュータ(mobile computing)及び受信装置でありうる。
【０００３】
ＵＥは、その装置に特定の多様な機能を遂行し、たびたび他の装置と通信(有線又は無線接続を通して)することができる。例えば、ＵＥは、インターネットアクセス(internet  access）を提供し、個人日程(personal calendar）を維持し、移動電話を提供し、及びデジタル写真を撮影することができる。また、この移動通信装置は、ＭＢＭＳサービスによって分配されたブロードキャスティング(broadcasting)サービス及びマルチメディアコンテンツを受信することができる。
【０００４】
ＵＭＴＳ（Universal  Mobile  Telecommunication  Service）システムは、ＧＳＭ(Global  System  for  Mobile）通信及びＧＰＲＳ(General  Packet  Radio  Services)に基づいたＷＣＤＭＡ（Wideband  Code  Division  Multiple  Access）を用いる３ＧＰＰ（3rd  Generation  Partnership  Project）移動通信システムである。これらＧＳＭ及びＧＰＲＳは、ヨーロッパ移動通信システムであり、移動電話又はコンピュータのユーザーが高速でパケットベースのテキスト、デジタル化された音声又は映像、又はマルチメディアデータを伝送できるサービスを提供する。
【０００５】
図１は、ＵＥ１００、コアネットワーク(Core Network：以下、“ＣＮ”と称する)１１０、ＵＴＲＡＮ(UMTS Terrestrial Radio  Access  Network)１１０、及び一つまたはそれ以上のＵＥ１３０を含む従来の移動通信システムを示す。図２は、ＣＮ１１０及び複数の無線ネットワークサブシステム(Radio Network Subsystems：以下、“ＲＮＳ”とする）を含むＵＭＴＳネットワークを示す。上記ＲＮＳは、図１に示すＵＴＲＡＮ１００に対応する。ＵＴＲＡＮをインターネットのようなパケットデータネットワークに接続するために、ＣＮ１００は、ＳＧＳＮ(Serving GPRS Support Node)及びＧＧＳＮ(Gateway GPRS Support Node)を含む。
【０００６】
それぞれのＲＮＳは、無線ネットワークコントローラ(Radio Network Controller：以下、“ＲＮＣ”とする)及び複数の基地局(Node B)を含む。ＲＮＣは、その役割によってサービング(serving)ＲＮＣ、ドリフト(drift)ＲＮＣ、及び制御ＲＮＣに分類することができる。サービングＲＮＣは、ＵＥの通信情報を制御してＣＮとデータをやりとりする。ドリフトＲＮＣは無線通信でＵＥと直接接続し、制御ＲＮＣは各基地局(Node B)の無線リソースを制御する。
【０００７】
ＲＮＣ及び基地局(Node B)は、ＣＮとＵＴＲＡＮとの間のインターフェースＩｕを通じて相互接続され、ＲＮＣは、ＲＮＣとＲＮＣとの間のインターフェースＩｕｒを通じて相互接続され、ＲＮＣは、ＲＮＣと基地局(Node B)との間のインターフェースＩｕｂを通じて基地局(Node B)に接続される。ＵＴＲＡＮは、無線インターフェースＵｕ(図示せず)を通じてＵＥに相互接続される。各ＲＮＣは、特定のＲＮＣによって制御された基地局(Node B)に無線リソースを割り当てる。この無線リソースは、各セルにより配列され、各基地局(Node B)によって提供される無線リソースは特定セルのための無線リソースに対応する。
【０００８】
現在のＵＭＴＳ標準は、上記システムによってサービスされ、サービスに加入したＵＥに、ＵＭＴＳ通信サービスによるＭＢＭＳサービスの供給を提供する。ＭＢＭＳサービスがサービス加入者に伝送するためのＭＢＭＳデータを有する場合に、ＵＴＲＡＮに含まれたＲＮＣは、セル内のポイントツーマルチポイント(point-to-multipoint：以下、“ｐ-ｔ-ｍ”とする)通信チャンネルを設定するか、あるいはセル内のそれぞれのＵＥにポイントツーポイント(point-to-point：以下、“ｐ-ｔ-ｐ”とする)通信チャンネルを設定するかを判定する。このとき、ＲＮＣは、ＲＮＳに含まれた基地局(Node B)を通じてＭＢＭＳ通知メッセージをブロードキャストする。
【０００９】
現在、ＵＴＲＡＮは、ＵＥが受信したセッションに関する情報を維持していない。ＣＲＮＣは、ｐ-ｔ-ｍ無線ベアラ(Radio Bearer：ＲＢ)を通じてサービスを提供するか否かを決定するために、カウンティングに基づきセッションを遂行することができる。ＣＲＮＣがｐ-ｔ-ｐ無線ベアラを通じてサービスを提供するように決定されると、ＵＥは、アイドルモードで、ＰＣＨを通じてｐ-ｔ-ｐ無線ベアラの設定を始める。ＦＡＣＨ(Forward Access Channel)及びＤＣＨ(dedicated channel)を使用するＵＥに対して、ＵＴＲＡＮは、無線ベアラの設定を始める。しかしながら、ＵＥがｐ-ｔ-ｐにより提供されたこのセッションを既に受信していたか、あるいは他のサービスを優先する場合、ＵＥは、ｐ-ｔ-ｐ無線ベアラの設定を拒絶する。
【００１０】
現在のＣＲＮＣベースのカウンティングにおいて、前記ＣＲＮＣは、カウント情報を獲得するためにＵＥをセットし、ＭＢＭＳサービス変更情報に関連した伝送を含むことによって、ＭＢＭＳ伝送のためのカウンティングを要求できる。その次に、ＵＥは、このカウンティングに応答すべきＵＥ(例えば、アイドルモードのＵＥ、及びＰＣＨ又はＦＡＣＨをリスニング(listening)するＵＥなど)に対する、より詳細な事項を含むＭＢＭＳアクセス情報を受信できる。
【００１１】
ＣＲＮＣは、このサービスを受信するのに関係のある接続モードＵＥの一部がｐ-ｔ-ｍ伝送モードのために使用されるしきい値(threshold)をよほど超えたと推定する場合に、最初の伝送(Ｉｕで、セッション開始メッセージは情報要素(Information Element：ＩＥ)ＭＢＭＳセッション反復回数を含む)に対してカウントを適用しないことがある。
【００１２】
ＣＲＮＣは、受信されたカウンティング応答によって、例えばＣＥＬＬ_ＦＡＣＨ/ＰＣＨから始まってＵＲＡ_ＰＣＨ及びアイドルまで順次にカウンティング範囲を拡張する。
【００１３】
ＵＥは、ＭＢＭＳ受信に設定するときに接続要求/呼(call)アップデートによって応答する。このようなＵＥの応答は、ＵＥがまだＭＢＭＳ伝送を正確に受信していないことを示す。しかしながら、ＵＥは、他のサービスを優先することができるため、関連伝送を受信しないことを決定できる。
【００１４】
ＭＢＭＳ伝送の識別情報(identity）は、カウンティング応答メッセージに含まれていない。
【００１５】
ＵＥ-開始(initiated)ｐ-ｔ-ｐ要求において、アイドルモード又はＰＣＨでＵＥがＭＢＭＳ伝送の受信を所望する場合、ＵＥは、ＭＢＭＳｐ-ｔ-ｐ要求に設定されるように接続要求/セルアップデートを始める。
【００１６】
ＵＥは、ｐ-ｔ-ｐが決定されてセルの再選択を行う場合にカウンティング手順に従ってこの要求を典型的にトリガー(trigger)する。
【００１７】
このＭＢＭＳ伝送の識別情報は、ｐ-ｔ-ｐ要求メッセージに含まれない。
【００１８】
短いＭＢＭＳ伝送識別情報は、参加情報(joining information）の利用可能性のため、カウンティング応答/ｐ-ｔ-ｐ要求に含まれないことがある。ＵＥが参加したサービスの一つ以上に対するトリガー条件(カウンティング、ｐ-ｔ-ｐへの伝送モード変化を有するセル再選択など）は小さくなることもある。
【００１９】
ＣＲＮＣは、各ＭＢＭＳサービスに対して特定のサービスに参加したすべての接続モードＵＥのリストを含み、特定のＲＮＣによって制御されるセル又はＵＲＡに存在するコンテキスト(context)を維持する。このようなＵＥは、相互に異なるＳＲＮＣの下にあるＵＥを含むことができる。
【００２０】
ｐ-ｔ-ｐ要求が適用されるサービスを推定するために、ＳＲＮＣは、ＵＥが参加したサービスの各々に対して関連したセルで使用される伝送モードを知っている必要がある。また、このＳＲＮＣは、他の目的のために次のような情報を知っておく必要もある。伝送モード情報は、ダイレクト情報伝送(Direct Information Transfer)、アップリンクシグナリング伝送(Uplink Signaling Transfer)、無線リンク設定(Radio Link Setup)、無線リンク追加(Radio Link Addition)、共通転送チャンネルリソース初期化(Common Transport Channel Resource Initiation)のようないくつかのＩｕｒメッセージに含まれるＭＢＭＳチャンネルタイプＩＥ内のＳＲＮＣを示す。
【００２１】
上述した内容は、関連セルで利用可能なサービスにインデックスのようなカウンティング応答/ｐ-ｔ-ｐ要求で短い伝送識別情報の導入を仮定する。このＣＲＮＣは、ＳＲＮＣに短い伝送識別情報の変換(translation)を伝送する前に短い伝送識別情報を臨時モバイルグループ識別子(Temporary Mobile Group Identity：ＴＭＧＩ）に変換する。
【００２２】
また、第２のＲＡＮは、ＳＲＮＣが特定のセッションに関係のあるＵＥに対するＣＲＮＣを格納及び通知するＳＲＮＣベースのメカニズム(mechanism）を考慮するために推定される。その結果、Ｉｕｒでの手順は、サービスレベルよりはセッションレベルとなる。
【００２３】
以下に説明するモバイルＴＶにおいて、変更要求メッセージは時々使用される。変更要求メッセージは、ｐ-ｔ-ｐＲＢを通じて提供されるＭＢＭＳサービスの解除を要求するために通常使用されるとともに、好ましい周波数階層へ移動されるように要求するために使用される。変更要求メッセージは、カウンティングに関連していない。
【００２４】
モバイルＴＶ(Mobile  TV：以下、“Ｍ-ＴＶ”と称する）は、一つ又はそれ以上の、典型的には５乃至１０個のＭ-ＴＶパッケージを含むオファリング(offering)を提供し、各々は、例えば５又は６個の複数のＭＢＭＳサービスを含む。Ｍ-ＴＶサービスは、無線で、例えばｐ-ｔ-ｍ及びｐ-ｔ-ｐ伝送モードともに利用可能なように効率的に伝達されなければならない。リソース制限のため、ＵＭＴＳセルは、与えられた時間で制限された数のＭ-ＴＶのみを伝送することができる。例えば、一回に４個のチャンネルのみがｐ-ｔ-ｍ伝送モードを通じて提供される。ＵＥが一つ又はそれ以上のＭ-ＴＶパッケージに加入しても、ＵＥは、一回に一つのＭ-ＴＶサービスのみを受信することができる。Ｍ-ＴＶサービスが正規ＴＶチャンネルのように継続して進行されても、セッション開始/停止は、サービス領域に進入するＵＥを処理するためにまれに使用される。すなわち、サービスは、ＵＥが存在して関心のあるサービス領域の一部で利用可能になることを示す。これは、不必要な情報のブロードキャスティングを防止する。最初のＵＥが領域に進入した場合、関連ＲＮＣは、ＳＧＳＮがセッション開始を提供するサービスに関心を登録する。
【００２５】
ＵＥは、正常に、加入したすべてのサービスに対して参加されなければならない。しかしながら、関連したＵＥのカウンティングは、ＳＧＳＮがＲＮＣに提供される参加情報に基づく。Ｍ-ＴＶシナリオ(scenario)において、ＵＥはパッケージ以外の単一チャンネルを選択する。各ＵＥは、加入したＵＥのチャンネル/サービスに対してカウントしなければならない。このために、ＵＥは、選択されたチャンネルのみに対してカウントされることを確実にするために、他のチャンネルを非参加又は非活性化する必要がある。このような手順は、遅くかつ煩わしい。
【００２６】
一般に、マルチキャストモードは、上記した機能の中で最初の２つの機能のみを提供し、ブロードキャストモードは、上記した機能の中で最後の２つの機能を提供することができる。現在参加手順は、遅くかつ煩わしいため、より重要な問題を発生させ、またＭ-ＴＶ運用者は、このような遅くて煩雑になることを避けることを希望する。現在、ＵＥは、参加の使用を避けられず、ｐ-ｔ-ｍ及びｐ-ｔ-ｐ伝送モードを使用する。ｐ-ｔ-ｍ及びｐ-ｔ-ｐ間の伝送モードスイッチングは、一般的にマルチキャストモードのために定義される。
【００２７】
また、参加は、セッション開始分配のフィルタリング(filtering）を容易にし、例えば、ＵＥが存在してサービスに参加した領域にのみセッション開始メッセージの分配を許容する。このセッション開始メッセージは、関連ＲＮＣのみに送られるため、このサービスは、サービスに参加したＵＥにブロードキャスティングされる。
【００２８】
Ｍ-ＴＶサービスを受信するのに関心のあるＵＥの個数をカウントする理由は、伝送モードの選択と伝送するサービスの選択を含む。伝送モードを選択するために、ＲＮＣは、関心のあるＵＥの数がｐ-ｔ-ｍ伝送モードが最も効率的な伝送モードであるしきい値以上の場合を確認するためにカウンティングを遂行する。伝送するためのサービスを選択するために、ＲＮＣは、最も大衆的なサービスを決定するために、ＵＥに関心あるサービスが何であるかを示すように要求する。ＲＮＣは、４個に限定されうる最も大衆的なサービスを探すために、数百のような多数のＵＥから応答を必要とすることがある。
【００２９】
ＲＮＣは、ＵＥに関心のあるサービスを示すように要求する。このような方式は、無線リソースの制限のため、ｐ-ｔ-ｍ伝送モードが最適であるサービスのサブセットをＵＴＲＡＮが伝送可能である場合のみに適用される。このｐ-ｔ-ｍモードは、３又は４人のように、若干のユーザーがいる場合に、一層効率的で、コストが節減される。ＵＴＲＡＮがｐ-ｔ-ｍモードを使用することができない場合、ＵＴＲＡＮは、関連基地局(Node B)に近接したＵＥに対してｐ-ｔ-ｐモードを使用することができる。運用者は、一般的にサービス拒絶を招く混雑シナリオが減少するように、このような方式でシステムを使用することを目的とする。
【００３０】
ＭＢＭＳベアラサービスタイプのＩｕインターフェース上のセッション開始メッセージで現在の指示が代替されることを含む上記の問題を克服するための提案は、２つの区分される指示に取って代わる。一つの指示は、例えば参加が使用されるか否かを示す、“クローズドユーザーグループ(closed  user  group)”又は“すべてにフリー(free  to  all)”を示すＭＢＭＳサービスタイプを含む。他の指示はマルチキャスト又はブロードキャスト伝送モードを適用するか否か、そしてカウンティング及び転送モードの選択を適用するか否かを示す変更されたＭＢＭＳベアラサービスタイプを含む。これら２つの指示は、参加情報が提供されているか否かに関係なく、ＲＮＣがどんなカウンティング手順が適用されなければならないか否かを判定できるようにする。
【００３１】
現在‘ネットワークベース’の参加手順は、またネットワークベースの手順より少し煩わしい手順の‘ＵＥベース’の手順によって代替可能である。ＵＥベースの手順において、ＵＥは、ＲＲＣ接続設定完了(ＵＥｓ  ｉｎ  ＲＲＣ_ＩＤＬＥ)、セルアップデート(ＵＥｓ  ｉｎ  ＸＸＸ_ＰＣＨ)、及びＭＢＭＳ変更要求(ＵＥｓ  ｉｎ  ＦＡＣＨ  ａｎｄ  ＤＣＨ)メッセージを用いる連結(linking)情報を提供することによってＭ-ＴＶサービスで関心を示す。受信でＵＥが関心のあるＭＢＭＳサービスは、このようなメッセージに導入された新たな識別子によって表される。ＵＥがこれ以上サービスの受信に関心がない場合に、ＵＥは、新たに導入された識別子を含まないセルアップデート(ＵＥｓ  ｉｎ  ＸＸＸ_ＰＣＨ)又はＭＢＭＳ変更(ＵＥｓ  ｉｎ  _ＦＡＣＨ  ａｎｄ  ＤＣＨ)メッセージを伝送することによって上記の場合を示す。
【００３２】
‘ＵＥベースの参加’情報は、ＵＥがＳＲＮＳ再配置時にソースからターゲットＲＮＣに通過することをメッセージとしたＳＲＮＳ再配置情報に加える。ＵＥが受信に関心のあるＭＢＭＳサービスは、上記リストに加えられる。ＲＮＣは、ＵＥが選択したＭ-ＴＶサービスに関する情報を維持する。ＵＥが他のＲＮＣに移動する場合に、情報が伝送されるため、新たなＲＮＣはＵＥから情報を得る必要がない。
【００３３】
Ｍ-ＴＶサービスにおいて、サービス詳細の向上した供給のための要求がある。
【発明の開示】
【発明が解決しようとする課題】
【００３４】
Ｍ-ＴＶアプリケーション(application)は、現在のＭＢＭＳ仕様(specification)によって適切にサポートされていない。所望のＭ-ＴＶアプリケーション特性は、いくつかのサービスは該当サービスに加入するユーザーのみが利用可能なクローズドグループへのサービスの利用の制限を含む。ｐ-ｔ-ｍ及びｐ-ｔ-ｐ伝送モードは、すべて無線を通じてサービスが効率的に転送されるように、そのサービスを所望するＵＥの個数に基づいて選択されることができなければならない。Ｍ-ＴＶサービスの活性化は、迅速で、かつ一つのＭ-ＴＶサービスから他のものへの煩わしい参加手順又はスイッチング手順が含まれてはならない。
【００３５】
本発明は少なくとも上記したような従来技術の問題及び/又は短所を解決し、少なくとも下記の長所を提供する。したがって、本発明の目的は、利用可能なＭ-ＴＶサービスに関連した情報を提供するとともにＭ-ＴＶサービスを受信することができるＵＥの個数をカウントするための方法及び装置を提供することにある。
【００３６】
また、本発明の目的は、移動通信システムにおける高速データを処理するための効率的な再伝送装置及び方法を提供することにある。
【課題を解決するための手段】
【００３７】
上記のような目的を達成するために、本発明の一態様によれば、遠隔通信ネットワークにおいてネットワークコントローラから移動通信装置に利用可能なモバイルテレビサービスに関連した情報を提供するための方法であって、複数のモバイルテレビサービスを特定グループに配列するステップと、単一メッセージで特定グループを識別する情報をネットワークコントローラから移動通信装置に伝送するステップとを有することを特徴とする。
【００３８】
また、本発明の他の態様によれば、ネットワークコントローラによって制御される遠隔通信ネットワークの特定の伝送領域で特定のモバイルテレビ伝送を受信することが可能な複数の移動通信装置をカウントする方法であって、ネットワークコントローラによって、移動通信装置の個数をカウンティングするステップと、ネットワークコントローラによって、規則的な間隔で移動通信装置の個数を再カウンティングするステップとを有することを特徴とする。
【発明を実施するための最良の形態】
【００３９】
以下、本発明の望ましい実施形態を添付の図面を参照して詳細に説明する。
【００４０】
図３は、本発明によるＵＭＴＳ(Universal  Mobile  Telecommunications  Network)を示す。ＵＭＴＳは、ＵＥ、コアネットワーク(Core  Network：ＣＮ)、ＵＴＲＡＮ(UMTS  Terrestrial  Radio  Access  Network)、及び一つ又はそれ以上のＵＥを含む。ＵＭＴＳは、非アクセス層(Non-Access  Stratum：ＮＡＳ)、アクセス層(Access  Stratum：ＡＳ)、そしてＡＳエンティティ(entity)、中継(relay)、Ｕｕ層、及びＩｕ層を含む。ＵＴＲＡＮがインターネットのようなパケットデータネットワークと接続するために、ＣＮは、ＳＧＳＮ(Serving  GPRS  Support  Node)及びＧＧＳＮ(Gateway  GPRS  Support  Node)を含む。
【００４１】
Ｕｕ層は、複数の無線リソースコントローラ(Radio Resource Controller：ＲＲＣ)及び複数のＬ１/Ｌ２を含む。アクセス層(ＡＳ）は、物理階層(Physical  layer)機能だけでなく、無線リソース制御、無線リンク制御、媒体アクセス制御などのようなＵＭＴＳネットワークでプロトコルの下位無線特定階層を含む。アクセス層は、図３に円で表示した、サービスアクセスポイント(Service Access Point：ＳＡＰ)を通じて非アクセス層にサービスを提供する。非アクセス層は、プロトコルの上位無線特定階層を含む。例えば、ＮＡＳは、呼制御(Call Control：ＣＣ)、移動性管理(Mobility Management：ＭＭ)、及びセッション管理(Session Management：ＳＭ)プロトコルを含むことができる。
【００４２】
本発明は、選択的な受信サービスグループ(Selective  Reception  Service  Group：ＳＲＳＧ）を提供する。本発明のＳＲＳＧにおいて、ＵＥは、ＵＥが加入したＭ-ＴＶパッケージのような関連サービスのグループと関係のある一つのＳＲＳＧのみを有する。また、ＵＥは、他のサービス領域と関連した他のＳＲＳＧを有する。ここで、ＵＥに関連したＳＲＳＧに含まれたサービスのグループは、ＵＥのＳＲＳＧセットと称する。ＵＥは、ＳＲＳＧセットからせいぜい一つのサービスを受信し、そのサービスはＵＥによって選択され、ここでは、選択されたＳＲＳＧセットサービスと呼ばれる。ＵＥは、ＳＲＳＧの一部でなく他のＭＢＭＳサービスを受信する可能性がある。一つのＵＥのためのＳＲＳＧに属するサービスは、正規(regular)サービスとなることができない。すなわち、ＳＲＳＧに含まれない他のＵＥのためのサービスは、サービスの非ＵＥ特定の特性である。すべてのＵＥは、この特性を有する。サービスがパッケージに属する場合、この特性はそのパッケージに参加するすべてのＵＥに適用される。
【００４３】
正常な(normal)方法で運用する他の正規サービスがまだ存在していても、この選択は、ＳＲＳＧでサービスのみに適用される。セルを通じて転送されることができる複数の特定サービスは、ＳＲＳＧに共にグルーピングされる。この方法で、ＵＥは、サービスグループが知られているので、どのサービスが利用可能なのかを決定するために利用可能なグループを決定する必要がある。
【００４４】
多様な方法及び動作は、本発明のＳＲＳＧに関連している。上位階層は、ブロードキャストサービスの活性化時にサービスがＳＲＳＧの一部、例えば参加手順の一部であるかをＵＥに知らせる。これは、カウンティング時に、その以後のステップで追加的なシグナリングを避けるために最初に一回行なわれる。
【００４５】
ＵＥが同時に受信できるＳＲＳＧセットサービスのサブセットは、一つ以上、例えばｎとなり得る。ｎの値は、ＵＥ性能によって決定される。例えば、ＵＥは、同時に２つのチャンネルを受信できるようになる。
【００４６】
ネットワークは、一つ以上のＳＲＳＧセットを利用できる。各ＳＲＳＧセットに対してネットワークは、ＵＥが受信できるサービスの数に関して個別の制限を指定可能である。例えば、これは二つのセットとなり、ＵＥは各セットから一つのチャンネルを受信することができる。
【００４７】
選択されたＳＲＳＧセットサービスに関する最新情報を維持するよりも、ＵＴＲＡＮは、例えば所定の区間で周期的な再カウンティングを遂行する。この情報は、そのセルでどのくらいのＵＥが利用可能なＭ-ＴＶサービスを必要としているかを決定し、その伝送がｐ-ｔ-ｍ又はｐ-ｔ-ｐとなるか否かをネットワークが決定できるように使用される。このような手法で、ＵＥが選択されたＳＲＳＧセットサービスを変える度に、ＵＥがＵＴＲＡＮに通知することが防止される。
【００４８】
_ＦＡＣＨ及び_ＤＣＨで、ＵＥのためのＵＥ-開始(initiated)ｐ-ｔ-ｐＲＢの設定を導入するための手順は、ＵＴＲＡＮがｐ-ｔ-ｐを通じて提供されるＳＲＳＧセットサービスを示す場合に使用される。一般に、ＵＥ-開始ｐ-ｔ-ｐＲＢ設定は、_ＦＡＣＨ及び_ＤＣＨでＵＥに対して定義されていない。しかしながら、本発明は、ＵＴＲＡＮがｐ-ｔ-ｐ伝送モードを使用することを決定し、ＵＥがそのサービスを受信するのに関心があることをＵＴＲＡＮが知っていない場合にその手順を使用する。_ＦＡＣＨ及び_ＤＣＨでＵＴＲＡＮが各ＵＥの関心を確認(check)することは好ましくない。
【００４９】
本発明において、サービスがｐ-ｔ-ｐ伝送モードを通じて利用可能な_ＤＣＨでＵＥに通知するためのオプション(option）を導入するためにＤＣＣＨでメッセージが伝送される場合、ＭＢＭＳサービス変更内にＩＥである‘ＭＢＭＳ  ｒｅｑｕｉｒｅｄ  ＵＥ  ａｃｔｉｏｎ’に対するコードポイント‘ｒｅｑｕｅｓｔ  ＰＴＰ  ＲＢ’が承認される。
【００５０】
本発明において、ＵＴＲＡＮは、ｐ-ｔ-ｐモードで利用可能なそれぞれのＳＲＳＧサービスの識別情報(identity)を含む必要がない。ＵＥが関連ＳＲＳＧの一つ又はそれ以上のサービスの利用可能性に対して知られている場合、明確に知られていないＵＥのすべてのサービスがｐ-ｔ-ｐ無線ベアラを通じて利用可能であると仮定する。ＵＥは、ＤＣＣＨで受信された情報だけでなくＭＣＣＨで受信されたサービス情報に対してもこのプロセスを使用する。
【００５１】
本発明のカウンティング手順は、高い可能性の_ＤＣＨ  ＵＥ、例えば非ＭＢＭＳ活性化と同時にＭＢＭＳを受信できるようにＵＥだけでなく、_ＤＣＨでＵＥもカバーすることができる。このようなＵＥに対して、‘カウンティング要求’は、ＭＣＣＨを通じて提供されることができ、例えばＤＣＣＨで専用通知は必要でない。ＵＴＲＡＮが選択されたＳＲＳＧセットサービスに関する最新情報を維持しない場合、トリガーカウンティングでＵＴＲＡＮは、_ＤＣＨで各ＵＥに専用通知(dedicated  notification)を伝送する。
【００５２】
本発明は、_ＤＣＨ進入の際に、ＵＥがＳＲＳＧに加入したか否かをＵＴＲＡＮが要求することを可能にする。ＵＴＲＡＮは、ＣＮから参加情報を受信しない場合に、ＳＲＳＧに加入しないＵＥに専用通知を伝送することを防止するためにこの情報を適用する。
【００５３】
本発明は、‘ＳＲＳＧカウンティング’を示す‘ＭＢＭＳアクセス情報’メッセージ内の単一ビットを導入する。これは、各サービスのために４バイトの大きいシグナリングオーバーヘッド(overhead)を要求する各サービスの識別情報を示すことが必要な現在プロセスを改善する。
【００５４】
本発明は、‘ＳＲＳＧカウンティング’を示す‘ＭＢＭＳサービス変更情報’メッセージ内に単一ビットを導入する。
【００５５】
本発明において、再カウンティング手順の変形は、ＵＥが以前のカウント以降、変化があったことに対して応答することが加えられる(例えば、選択されたＳＲＳＧサービスの変更、セルの再選択)。ＵＴＲＡＮは、例えばＵＥがサービス領域外に移動することを押さえるために、定期的な再カウントが遂行されたあとに上記変形に数回適用できる。
【００５６】
本発明は、少なくとも下記の理由のために現在の方式を改善する。
【００５７】
本発明は、現在の方式と関連した問題を克服する。
【００５８】
ＳＲＳＧが変化しなかった場合に、ＵＥは、初めに直ちに通知され、以後に、例えば、ＵＥが選択されたＳＲＳＧサービスを示さなければならないときにこの情報の伝送を防止する。
【００５９】
本発明は、それ以外の予測できないケース/ネットワークシナリオを提供する。ＵＴＲＡＮは、選択されたＳＲＳＧサービスに関する最新情報を１００％維持する必要がない。例えば、全く最新であるわけではないということによる唯一のコストは、ｐ-ｔ-ｍ伝送モードが必要よりも多少長く使用されるということである。ｐ-ｔ-ｐ伝送モードは、伝送が必要でない場合に、より最適のものとなり得る。このコストは、例えば、ネットワークが再カウンティングを適用する方法のようなネットワーク構成に基づく。
【００６０】
周期的な再カウンティング手法は、ネットワークがシグナリング負荷に影響を与えたり、制御したりできることを含む長所があって、再カウンティングはより強い動作を提供する。例えば、周期的な再カウンティングは、高いＵＥ普及(penetrations）を収容することができ、そして周期的な再カウンティングは現在の標準に最小の変化を伴う。現在の標準への変化は、_ＦＡＣＨ及び_ＤＣＨでＵＥのために同意される解決策次第である。ＵＴＲＡＮは、アイドル及び_ＰＣＨでＵＥのために再使用できる標準に関連した変化を招くような状態のＵＥのために選択されたＳＲＳＧサービスに関する最新情報を維持可能である。
【００６１】
本発明は、ｐ-ｔ-ｐモードで提供されるＳＲＳＧパッケージの一つ以上のサービスを示すためにＵＴＲＡＮが各サービスに対するＭＣＣＨで４バイト以上を格納する必要を防止する。現在のすべての利用可能なサービスは、ＭＢＭＳサービス変更情報又はＭＢＭＳ非サービス変更情報メッセージで示される。
【００６２】
本発明は、標準の変化を制限するために使用され、カウンティング手順を他のＵＥ状態に対して提案された他の手法に合わせるように使われる。
【００６３】
本発明は、参加が使用されない場合に、_ＤＣＨでＵＥのカウンティングを改善する。すなわち、本発明は、このような状態で、ＵＴＲＡＮがすべてのＵＥにではなく関連したＵＥ_ＤＣＨにのみ専用通知を伝送することができる。
【００６４】
本発明は、再カウンティングがサービスグループのために定期的に使用される場合に重要になる現在仕様(specification)における制限を除去する。例えば、現在の手法は、再カウンティングが遂行されるそれぞれの個別的なサービスを一々指定する。ＭＢＭＳアクセス情報メッセージは、８個のサービスのみを含むことができる。ＭＢＭＳサービス変更情報メッセージは、３２個までのサービスのみを含むことができる。
【００６５】
他の変更は、ＳＲＳＧサービスのための再カウンティングの際に同時に遂行できる。
【００６６】
‘ｄｅｌｔａ’変形は、制限されたシグナリングオーバーヘッドを含むＣＥＬｌ_ＰＣＨのＵＥに対する変化を確認することを助ける。
【００６７】
いくつかの３ＧＰＰの技術的仕様は、ＵＭＴＳネットワーク及びＭＢＭＳに対する情報を提供するために利用可能である。このような技術的仕様は、ｈｔｔｐ://ｗｗｗ．３ｇｐｐ．ｏｒｇ/ｓｐｅｃｓ．ｈｔｍで見つけられ、その全体内容は引用によりここに組み込まれる。一部の例は、３ＧＰＰ  ＴＳ２１．９０５，３ＧＰＰ  ＴＳ  ２２．１４６，３ＧＰＰ  ＴＳ２５．３０１，３ＧＰＰ  ＴＳ２５．３３１、３ＧＰＰ  ＴＳ２５．３４６，３ＧＰＰ  ＴＳ  ２５．４０１、及び３ＧＰＰ  ＴＳ  ２５．２４６を含み、それらのすべての内容は引用によってここに組み込まれる。追加情報は、ＲＥＬ-６  ＭＢＭＳ仕様、Ｒ２-０６１４８７  ＭＢＭＳ、及びバージョン６．９．０無線リソース制御(ＲＲＣ)プロトコル仕様Ｒｅｌｅａｓｅ６で見つけることができる。
【００６８】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００６９】
【図１】従来の移動通信システムを示すブロック構成図である。
【図２】従来のＵＭＴＳネットワークを示すブロック構成図である。
【図３】本発明によるＵＭＴＳネットワークを示すブロック構成図である。
【図１】
2009539302.tif 000003
【図２】
2009539302.tif 000004
【図３】
2009539302.tif 000005
【国際調査報告】
2009539302.tif 000006
2009539302.tif 000007